(57)【要約】【課題】ネットワーク上に存在する多数の情報サイトにおいて、ユーザにとって必要となる確率の高い情報を自動的に抽出して表示することが可能な情報表示装置を提供する。【解決手段】予め登録した各情報サイトのURLにアクセスされ当該各URLに対応するWebページの個別タイトル（リンクテキスト）が抽出される。また各個別タイトルのリンク先URLにアクセスされ当該各リンク先URLに対応するページの本文テキストが抽出される。抽出された個別タイトル、リンク先URL、本文テキストは、前記各登録URLのIDに対応付けて抽出結果リストに記憶される(SA)。リストに記憶された各URL_IDの相互間で本文テキストの類似度が求められ、類似度の高い本文テキストに対応する個別タイトルだけ(SB)、重要情報一覧ウインドウに表示される(SC)。ウインドウ表示された所望の個別タイトルにフォーカスを合わせると、その本文テキストが読み出されポップアップ表示される。【選択図】      図６
2011150591.tif 000002
【特許請求の範囲】
【請求項１】
情報元として利用する情報サイトのＵＲＬを予め記憶するＵＲＬ記憶手段と、
このＵＲＬ記憶手段により記憶されたＵＲＬで指定される情報サイトのページを取得し、当該ページ内の見出し情報を抽出する見出し情報抽出手段と、
この見出し情報抽出手段により抽出された見出し情報に対応する本文を抽出する本文抽出手段と、
この本文抽出手段により抽出された各本文の類似度を判定し、当該類似度が予め設定された値よりも高いと判定された本文を表示対象に設定する表示対象設定手段と、
この表示対象設定手段により表示対象に設定された本文を表示部に表示させる表示制御手段と、
を備えたことを特徴とする情報表示装置。
【請求項２】
前記見出し情報抽出手段により前記記憶されたＵＲＬで指定される情報サイトのページから抽出された見出し情報に対応して前記本文抽出手段により抽出された本文を、該当する前記情報サイトの識別情報に対応付けて記憶する抽出情報記憶手段を備え、
前記表示対象設定手段は、
前記抽出情報記憶手段により記憶された各本文の類似度を異なる情報サイト相互の本文同士で総当たりに判定する類似度判定手段を有し、
前記抽出情報記憶手段により記憶された各本文について、前記類似度判定手段により類似度が予め設定された値よりも高いと判定された一方の本文を表示対象に設定し、もう一方の本文を削除する、
ことを特徴とする請求項１に記載の情報表示装置。
【請求項３】
前記見出し情報抽出手段による見出し情報の抽出処理と、前記本文抽出手段による本文の抽出処理と、前記表示対象設定手段による表示対象の設定処理と、前記表示制御手段による本文の表示処理とを、予め設定された一定時間毎に繰り返し実行する繰り返し制御手段を備えたことを特徴とする請求項１または請求項２に記載の情報表示装置。
【請求項４】
電子機器のコンピュータを制御するためのプログラムであって、
前記コンピュータを、
情報元として利用する情報サイトのＵＲＬを予めメモリに記憶させるＵＲＬ記憶手段、
このＵＲＬ記憶手段により記憶されたＵＲＬで指定される情報サイトのページを取得し、当該ページ内の見出し情報を抽出する見出し情報抽出手段、
この見出し情報抽出手段により抽出された見出し情報に対応する本文を抽出する本文抽出手段、
この本文抽出手段により抽出された各本文の類似度を判定し、当該類似度が予め設定された値よりも高いと判定された本文を表示対象に設定する表示対象設定手段、
この表示対象設定手段により表示対象に設定された本文を表示部に表示させる表示制御手段、
として機能させるためのプログラム。
【発明の詳細な説明】
【技術分野】
【０００１】
本発明は、Ｗｅｂサイトにある所望の情報を閲覧するための情報表示装置およびプログラムに関する。
【背景技術】
【０００２】
従来から、ＬＡＮ(Local Area Network)やＷＡＮ(Wide Area Network)、インターネットなど、通信ネットワークにおけるサーバ・クライアント・システムでは、クライアント装置が備えるＷｅｂブラウザにより、ネットワーク上の各Ｗｅｂサイトのサーバ装置が生成保存している種々の情報（Ｗｅｂページ）を取得表示して閲覧することが行われる。
【０００３】
特に、インターネット上には、膨大な量のＷｅｂサイトが存在し、信頼できる情報か否かを問わず、ありとあらゆる情報が溢れているため、ユーザが本当に必要とする情報を得るのはそれほど簡単ではない。
【０００４】
例えば、ユーザが知りたい情報に関してそのキーワードを入力すると、当該キーワードを含む情報を記述している多数のＷｅｂページの見出しがリンクテキストとして一覧表示される。ユーザはこの一覧表示されたページ見出しを次々に指定して該当するＷｅｂページを開いて表示させ、本当に必要とする情報が含まれるか否か確認している。
【０００５】
そこで、各種ＷｅｂサイトのＷｅｂページから当該ページに含まれるリンクを抽出し、この抽出されたリンク先コンテンツの紹介文を自動生成するリンク集作成装置が考えられている（例えば、特許文献１参照。）。
【先行技術文献】
【特許文献】
【０００６】
【特許文献１】特開２００３−０１６０８２号公報
【発明の概要】
【発明が解決しようとする課題】
【０００７】
前記従来のリンク集作成装置によれば、個々のリンク先を一々指定しながら開く必要なく、その内容の概要を知ることができる。
【０００８】
しかしながら、このリンク集から得られる情報とは、ユーザにとって必要となる確率の高い情報であるか否かとは無関係な、Ｗｅｂページ上にある各リンクのリンク先に何があるかを紹介するだけのものであり、結局は様々なリンク先の紹介文を次々に見ていく必要がある。
【０００９】
本発明は、このような課題に鑑みなされたもので、ネットワーク上に存在する多数の情報サイトにおいて、ユーザにとって必要となる確率の高い情報を自動的に抽出して表示することが可能になる情報表示装置およびプログラムを提供することを目的とする。
【課題を解決するための手段】
【００１０】
請求項１に記載の情報表示装置は、情報元として利用する情報サイトのＵＲＬを予め記憶するＵＲＬ記憶手段と、このＵＲＬ記憶手段により記憶されたＵＲＬで指定される情報サイトのページを取得し、当該ページ内の見出し情報を抽出する見出し情報抽出手段と、この見出し情報抽出手段により抽出された見出し情報に対応する本文を抽出する本文抽出手段と、この本文抽出手段により抽出された各本文の類似度を判定し、当該類似度が予め設定された値よりも高いと判定された本文を表示対象に設定する表示対象設定手段と、この表示対象設定手段により表示対象に設定された本文を表示部に表示させる表示制御手段と、を備えたことを特徴としている。
【００１１】
請求項２に記載の情報表示装置は、前記請求項１に記載の情報表示装置において、前記見出し情報抽出手段により前記記憶されたＵＲＬで指定される情報サイトのページから抽出された見出し情報に対応して前記本文抽出手段により抽出された本文を、該当する前記情報サイトの識別情報に対応付けて記憶する抽出情報記憶手段を備え、前記表示対象設定手段は、前記抽出情報記憶手段により記憶された各本文の類似度を異なる情報サイト相互の本文同士で総当たりに判定する類似度判定手段を有し、前記抽出情報記憶手段により記憶された各本文について、前記類似度判定手段により類似度が予め設定された値よりも高いと判定された一方の本文を表示対象に設定し、もう一方の本文を削除する、ことを特徴としている。
【００１２】
請求項３に記載の情報表示装置は、前記請求項１または請求項２に記載の情報表示装置において、前記見出し情報抽出手段による見出し情報の抽出処理と、前記本文抽出手段による本文の抽出処理と、前記表示対象設定手段による表示対象の設定処理と、前記表示制御手段による本文の表示処理とを、予め設定された一定時間毎に繰り返し実行する繰り返し制御手段を備えたことを特徴としている。
【００１３】
請求項４に記載のプログラムは、電子機器のコンピュータを制御するためのプログラムであって、前記コンピュータを、情報元として利用する情報サイトのＵＲＬを予めメモリに記憶させるＵＲＬ記憶手段、このＵＲＬ記憶手段により記憶されたＵＲＬで指定される情報サイトのページを取得し、当該ページ内の見出し情報を抽出する見出し情報抽出手段、この見出し情報抽出手段により抽出された見出し情報に対応する本文を抽出する本文抽出手段、この本文抽出手段により抽出された各本文の類似度を判定し、当該類似度が予め設定された値よりも高いと判定された本文を表示対象に設定する表示対象設定手段、この表示対象設定手段により表示対象に設定された本文を表示部に表示させる表示制御手段、として機能させることを特徴としている。
【発明の効果】
【００１４】
本発明によれば、ネットワーク上に存在する多数の情報サイトにおいて、ユーザにとって必要となる確率の高い情報を自動的に抽出して表示することが可能になる情報表示装置およびプログラムを提供できる。
【図面の簡単な説明】
【００１５】
【図１】本発明の情報表示装置の実施形態に係る情報端末装置２０を使用したサーバ・クライアント・システムの構成を示すブロック図。
【図２】前記情報端末装置２０のＵＲＬ登録リストメモリ２３ａに記憶されるＵＲＬ登録リストを示す図。
【図３】前記情報端末装置２０の抽出結果リストメモリ２３ｂに記憶されるＷｅｂ情報の抽出結果リストを示す図。
【図４】前記情報端末装置２０において例えばサーバ装置（情報サイトＡ）１０Ａ[http://www.sight.a.co.jp/]から取得されたＷｅｂページＰの画面表示例を示す図。
【図５】前記図４におけるＷｅｂページＰのリンクテキストＬtxt1部分を記述したＨＴＭＬソースＰhtmを示す図。
【図６】前記情報端末装置２０による重要情報取得表示処理の概要を示すフローチャート。
【図７】前記重要情報取得表示処理に伴う表示対象テキスト取得処理（ＳＡ）を示すフローチャート。
【図８】前記図５に一部分を示したＨＴＭＬソースＰhtmにより記述されたリンク先ＷｅｂページＬＰの画面表示例を示す図。
【図９】前記重要情報取得表示処理に伴う類似度判定処理（ＳＢ）を示すフローチャート。
【図１０】前記重要情報取得表示処理に伴う表示処理（ＳＣ）を示すフローチャート。
【図１１】前記重要情報取得表示処理の表示処理（ＳＣ）に伴う重要情報の表示動作例を示す図。
【発明を実施するための形態】
【００１６】
以下図面により本発明の実施の形態について説明する。
【００１７】
図１は、本発明の情報表示装置の実施形態に係る情報端末装置２０を使用したサーバ・クライアント・システムの構成を示すブロック図である。
【００１８】
このサーバ・クライアント・システムは、インターネット、ＷＡＮ、ＬＡＮなどからなるネットワークＮ上に接続された複数のサーバ装置（情報サイトＡ）１０Ａ，（情報サイトＢ）１０Ｂ，（情報サイトＣ）１０Ｃ，…および複数の情報端末装置（クライアント装置）２０，…を備える。
【００１９】
サーバ装置（情報サイトＡ）１０Ａ，（情報サイトＢ）１０Ｂ，（情報サイトＣ）１０Ｃ，…は、各情報サイトに応じたＷｅｂコンテンツ生成処理プログラム，登録ユーザ管理処理プログラム，Ｗｅｂページ配信処理プログラムなど、当該サーバ装置１０Ａ，１０Ｂ，１０Ｃ，…の本体操作により機能する複数のアプリケーションプログラムを有し、例えば情報端末装置２０からの指定の情報サイトへのアクセス要求に応じて当該要求された情報サイトにて生成したＷｅｂページを同情報端末装置２０へ配信する。
【００２０】
情報端末装置２０は、携帯電話，ＰＤＡ(Personal Digital Assistant)，ＰＣなどからなり、インターネット接続処理プログラム、Ｗｅｂブラウザプログラム，Ｗｅｂ印刷プログラムなど、当該情報端末装置２０の本体操作により機能する複数のアプリケーションプログラムを有する。そして、例えば所望の情報サイトＡ[http://www.sight_a.co.jp/]のサーバ装置１０ＡにアクセスしてそのＷｅｂページを取得し、当該ＷｅｂページのＨＴＭＬ(Hyper Text Markup Language)のタグ要素から成るツリー構造を解析して画面展開し表示したり印刷したりする。
【００２１】
情報端末装置２０の電子回路は、コンピュータとしてのＣＰＵ２１を備え、このＣＰＵ２１には、バス２２を介してＲＯＭやＲＡＭからなる記憶部２３、メモリカードや光ディスクなどの外部記憶媒体２４にデータを読み書きする記憶媒体読み書き部２５が接続される。
【００２２】
また、ＣＰＵ２１には、バス２２を介してキーボード，マウスなどの入力部２６、ＬＣＤからなる表示部２７、前記サーバ装置１０Ａ，１０Ｂ，１０Ｃ，…との間でデータを送受信する送受信部２８が接続される。
【００２３】
ＣＰＵ２１は、記憶部２３に予め記憶されているシステムプログラムおよび種々のアプリケーションプログラムに従って回路各部の動作を制御するもので、入力部２６からの入力信号に応じて前記種々のアプリケーションプログラムが起動され実行される。
【００２４】
前記サーバ装置１０Ａ，１０Ｂ，１０Ｃ，…をインターネット（Ｎ）上のＷｅｂサイト、前記情報端末装置２０，…を前記Ｗｅｂサイトにアクセス可能なユーザ端末とした場合、ユーザ端末（２０）からＷｅｂサイト（１０Ａ）へのアクセス要求に応じて、当該Ｗｅｂサイト（１０Ａ）においてＨＴＭＬにより記述生成されたＷｅｂページがアクセス要求元のユーザ端末（２０）へ配信され、そのＷｅｂブラウザプログラムにより表示部２７に展開されて表示される。
【００２５】
また、記憶部２３には、ＵＲＬ登録リストメモリ２３ａ、および抽出結果リストメモリ２３ｂが備えられる。
【００２６】
図２は、前記情報端末装置２０のＵＲＬ登録リストメモリ２３ａに記憶されるＵＲＬ登録リストを示す図である。
【００２７】
このＵＲＬ登録リストメモリ２３ａには、ユーザ操作に応じて、例えば当該ユーザが日頃からアクセスする頻度の比較的高い各サーバ装置（情報サイトＡ，Ｂ，Ｃ，…）１０Ａ，１０ｂ，１０Ｃ，…のＵＲＬが、そのＵＲＬ_ＩＤに対応付けられて記憶される。
【００２８】
図３は、前記情報端末装置２０の抽出結果リストメモリ２３ｂに記憶されるＷｅｂ情報の抽出結果リストを示す図である。
【００２９】
この抽出結果リストメモリ２３ｂには、前記ＵＲＬ登録リストメモリ２３ａに記憶された各ＵＲＬ_ＩＤ毎のＵＲＬに対応するＷｅｂページから抽出されたタイトル（リンクテキスト）、当該タイトル（リンクテキスト）のリンク先ＵＲＬ、このリンク先ＵＲＬに対応するＷｅｂページから抽出された本文テキストが、該当するＵＲＬ_ＩＤに関係付けた本文ＩＤに対応付けられて記憶される。
【００３０】
この抽出結果リスト（２３ｂ）において、各ＵＲＬ_ＩＤの相互間で当該ＵＲＬ_ＩＤが小さい方の本文テキストを基準に他のＵＲＬ_ＩＤに対応付けられた本文テキストとの類似度を総当たりに順番に判定する。そして、類似度が規定値より高いと判定された本文テキストについては、その判定に伴い、ＵＲＬ_ＩＤが小さい方の本文テキストに対応付けて要表示マークを付加し、もう一方の本文テキストを削除する。
【００３１】
つまり、この抽出結果リスト（２３ｂ）において、要表示マークが付加されたところの本文テキストは、ユーザが日頃からアクセスする頻度の比較的高い各サーバ装置（情報サイトＡ，Ｂ，Ｃ，…）１０Ａ，１０ｂ，１０Ｃ，…のＷｅｂページから抽出された全てのタイトル（テキストテキスト）に対応するリンク先の本文テキストの中で、少なくとも２つの情報サイトのＷｅｂページに載っているタイトルに対応する類似と判定された本文テキストの一方である。このため、前記要表示マークが付加されたところの本文テキストは、ユーザが日頃からアクセスする頻度の比較的高い各情報サイトＡ，Ｂ，Ｃ，…から得られる情報の中でも重要度が高い情報になる。
【００３２】
図４は、前記情報端末装置２０において例えばサーバ装置（情報サイトＡ）１０Ａ[http://www.sight.a.co.jp/]から取得されたＷｅｂページＰの画面表示例を示す図である。
【００３３】
図５は、前記図４におけるＷｅｂページＰのリンクテキストＬtxt1部分を記述したＨＴＭＬソースＰhtmを示す図である。
【００３４】
図４に示すように、情報端末装置２０の表示部２７に表示させたＷｅｂページＰはハイパーテキストであり、メインタイトルＴ「今日の速報ニュース」に属する５項目の個別タイトルが何れもリンクテキストＬtxt1〜Ｌtxt5に設定されている。そして、当該各リンクテキストＬtxt1〜Ｌtxt5は、図５にその一部を示すＨＴＭＬソースＰhtmにおいて、何れも“Ａ”で括られるタグ要素に記述され、リンク先ＷｅｂページのＵＲＬが対応付けられている。
【００３５】
例えば表示部２７に表示されたＷｅｂページＰにおいて、メインタイトルＴに属する１番目の個別タイトルに対応するリンクテキスト「首相、内閣支持率に注文」Ｌtxt1にフォーカスすると、当該リンクテキストＬtxt1を記述したＨＴＭＬソースＰhtmから、破線ａで囲んで示すように、リンク先ＷｅｂページのＵＲＬ[http://www.sight_b.co.jp/news002.html]が取得される。
【００３６】
このように、情報端末装置２０のＷｅｂブラウザプログラムは、その基本機能として、ユーザ指定のＷｅｂサイトのサーバ装置１０Ａ，１０Ｂ，１０Ｃ，…へのアクセスに伴い、そのＷｅｂページを取得し、当該ＷｅｂページのＨＴＭＬのタグから成るツリー構造を解析して、記憶部２３内のフレームバッファＦＢに画面展開し表示する機能を有する。
【００３７】
また、この情報端末装置２０は、ユーザ操作に応じてアクセス要求されたＷｅｂサイトのサーバ装置からＷｅｂページＰを取得して表示する機能とは別に、一定時間Ｔ１毎に、前記ＵＲＬ登録リストメモリ２３ａ（図２参照）に登録されている各ＵＲＬのサーバ装置へ自動でアクセスし、各サーバ装置が提供する全てのＷｅｂページＰ…内の個別タイトルであるリンクテキストＬtxt1〜Ｌtxtmを抽出する機能、抽出された各リンクテキストＬtxt1〜Ｌtxtmに対応するリンク先ＵＲＬを取得する機能、取得された各リンク先ＵＲＬにアクセスしてその本文テキストを抽出する機能、そして前記登録された各ＵＲＬのＩＤ毎の個別タイトル（リンクテキスト）、リンク先ＵＲＬ、本文テキストを、該当するＵＲＬ_ＩＤに関係付けた本文ＩＤと対応付けて前記抽出結果リストメモリ２３ｂ（図３参照）に登録する機能を有する（図６のステップＳＡ［表示対象テキスト取得処理］）。
【００３８】
そして、この情報端末装置２０は、前記抽出結果リストメモリ２３ｂに登録された各ＵＲＬ_ＩＤの相互間で当該ＵＲＬ_ＩＤが小さい方の本文テキストを基準に他のＵＲＬ_ＩＤに対応付けられた本文テキストとの類似度を総当たりに順番に判定する機能、この類似度判定に際して、類似度が規定値より高いと判定された本文テキストについては、ＵＲＬ_ＩＤが小さい方の本文テキストに対応付けて要表示マークを付加すると共に、もう一方の本文テキストを削除する機能を有する（図６のステップＳＢ［類似度判定処理］）。
【００３９】
さらに、この情報端末装置２０は、前記抽出結果リストメモリ２３ｂに要表示マークの付加された本文テキストが存在する場合に、当該要表示の本文テキストが対応付けられた個別タイトル（リンクテキスト）を表示部２７にウインドウ表示する機能を有する（図６のステップＳＣ［表示処理］）。
【００４０】
このような予め登録された各Ｗｅｂサイトからの重要情報取得表示機能は、例えば前記Ｗｅｂブラウザプログラムにプラグインあるいはアドオンするプログラムにより実現される。
【００４１】
次に、前記構成のサーバ・クライアント・システムの情報端末装置２０による重要情報取得表示機能について説明する。
【００４２】
図６は、前記情報端末装置２０による重要情報取得表示処理の概要を示すフローチャートである。
【００４３】
この重要情報取得表示処理では、前述にその機能の概要を説明した表示対象テキスト取得処理（ステップＳＡ）、類似度判定処理（ステップＳＢ）、表示処理（ステップＳＣ）が、予め設定された一定時間Ｔ１毎に繰り返し実行される（ステップＳＤ，ＳＥ→ＳＡ）。
【００４４】
この重要情報取得表示処理により、ユーザが日頃からアクセスする頻度の比較的高い各情報サイトＡ，Ｂ，Ｃ，…から得られる情報の中でも重要度が高い情報の個別タイトル（リンクテキスト）を常時ウインドウ表示できるようになる。
【００４５】
以下にその詳細な処理について説明する。
【００４６】
図７は、前記重要情報取得表示処理に伴う表示対象テキスト取得処理（ＳＡ）を示すフローチャートである。
【００４７】
先ず、記憶部２３において管理される変数ｘの値が、前記ＵＲＬ登録リストメモリ２３ａ（図２参照）に登録されたＵＲＬの数“ｎ”に初期化され、また同記憶部２３において管理する変数ｙの値が、前記登録されたｎ個のＵＲＬの先頭を指定する値“１”に初期化される（ステップＡ１）。
【００４８】
すると、前記ＵＲＬ登録リストメモリ２３ａに登録されたｙ（＝１）番目のＵＲＬに従ったサーバ装置（例えば情報サイトＡ）１０Ａへアクセスされ、当該情報サイトＡのＷｅｂページＰが取得される。そして、このＷｅｂページＰに記述されている各個別タイトルのリンクテキストＬtxt1〜Ｌtxtmが抽出され、前記抽出結果リストメモリ２３ｂ（図３参照）に前記ＵＲＬのＩＤ（＝１）に対応付けられて記憶される（ステップＡ２）。
【００４９】
なお、前記サーバ装置から取得されたＷｅｂページＰに記述されている各個別タイトルのリンクテキストＬtxt1〜Ｌtxtmを抽出する処理は、例えば次のように実行される。
【００５０】
先ず、ＷｅｂページＰのＨＴＭＬのタグからなるツリー構造が解析され、当該ＷｅｂページＰ内の「カラム」が抽出される。また前記ＨＴＭＬの構造解析から、例えば前記「カラム」毎に、周囲の文字列と比較して大きい文字サイズや目立つ文字フォントである「強い」文字列が抽出されてリストアップされる。すると、リストアップされた「強い」文字列同士の位置関係，強弱，個数などから各個別タイトルのリンクテキストＬtxt1〜Ｌtxtmが認定抽出される。
【００５１】
通常、例えばニュース情報サイトに掲載されるトップニュースなどは、大きめのフォントや太字で個別タイトルが表示されることが多い。従って、前記処理によりタイトル抽出することで、トップニュース等の重要情報についての個別タイトルを抽出することが可能となる。
【００５２】
すると、記憶部２３において管理される変数ｎが、前記ステップＡ２においてｙ番目（＝１）のＵＲＬに対応するＷｅｂページＰから抽出された各個別タイトル（リンクテキストＬtxt1〜Ｌtxtm）の数“m”にセットされる（ステップＡ３）。
【００５３】
ここで、前記変数ｎ＝０ではない（ステップＡ４（Ｎｏ））、つまり前記ｙ番目（＝１）のＵＲＬに対応するＷｅｂページＰから少なくとも１つ以上の個別タイトル（リンクテキスト）が抽出されたと判断されると、この抽出されたｎ（＝m）個の個別タイトル（リンクテキスト）の各リンク先ＵＲＬに従い当該各リンク先のＷｅｂページＬＰ…（図８参照）が取得される。そして、この各リンク先のＷｅｂページＬＰ…からその本文テキストＨtxt…が抽出され、前記リンク先ＵＲＬと共に、前記リンク元のＵＲＬ_ＩＤおよび当該リンク元のＵＲＬ_ＩＤに関係付けた本文ＩＤに対応付けられて、前記抽出結果リストメモリ２３ｂ（図３参照）に登録される（ステップＡ５，Ａ６→Ａ４）。
【００５４】
なお、前記リンク先のＷｅｂページＬＰからその本文テキストＨtxtを抽出する処理は、例えば次のように実行される。
【００５５】
図８は、前記図５に一部分を示したＨＴＭＬソースＰhtmにより記述されたリンク先ＷｅｂページＬＰの画面表示例を示す図である。
【００５６】
リンク先ＷｅｂページＬＰのＨＴＭＬソースＬＰhtmには、前記リンク元ＷｅｂページＰにて抽出した個別タイトルのリンクテキスト「首相、内閣支持率に注文」Ｌtxt1と同一（あるいは類似）の見出しテキスト「首相、内閣支持率に注文」Ｍtxtを含んでいる“Ｈ１”で括られるタグ要素が存在する。
【００５７】
そして、前記見出しテキスト「首相、内閣支持率に注文」Ｍtxtに対応する本文テキストＨtxtは、当該見出しテキスト「首相、内閣支持率に注文」Ｍtxtを含むタグ要素“Ｈ１”以降のタグ要素“Ｐ”において、幾つもの読点を有する比較的長い文字列として記述されている。
【００５８】
このため、リンク先ＷｅｂページＬＰのＨＴＭＬソースＬＰhtmから、前記リンク元ＷｂページＰから抽出した個別タイトルのリンクテキストＬtxtに対応する本文テキストＨtxtを抽出するには、当該リンクテキストＬtxtと同一（あるいは類似）の見出しテキストＭtxtを含んでいるタグ要素“Ｈ１”を検索し、これ以降のタグ要素“Ｐ”において、読点を設定個数以上含み且つ設定数以上の文字数からなるテキストを抽出すればよい。
【００５９】
こうして、前記ステップＡ４〜Ａ６の処理に従いｙ番目（＝１）のＵＲＬに対応するＷｅｂページＰの各個別タイトル（リンクテキストＬtxt1〜Ｌtxtm）に対応するリンク先ＷｅｂページＬＰ1〜ＬＰmの本文テキストＨtxt1〜Ｈtxtmが抽出され、例えば図３で示したように、該当するＵＲＬ_ＩＤ“１”の各本文ＩＤ“１−１”〜“１−ｍ１”と対応付けられて抽出結果リストメモリ２３ｂに登録されると、変数ｙの値がインクリメントされて“２”にセットされ（ステップＡ７）、前記ステップＡ２以降の処理が繰り返される（ステップＡ８（Ｎｏ）→Ａ２）。
【００６０】
すなわち、次のステップＡ２の処理により、前記ＵＲＬ登録リストメモリ２３ａに登録されたｙ（＝２）番目のＵＲＬに対応するＷｅｂページＰの各個別タイトル（リンクテキストＬtxt1〜Ｌtxtm）が抽出される。そして、次のステップＡ３〜Ａ６の処理により、前記抽出されたｙ番目（＝２）のＵＲＬに対応するＷｅｂページＰの各個別タイトル（リンクテキストＬtxt1〜Ｌtxtm）に対応するリンク先ＷｅｂページＬＰ1〜ＬＰmの本文テキストＨtxt1〜Ｈtxtmが抽出され、前記図３で示したように、該当するＵＲＬ_ＩＤ“２”の各本文ＩＤ“２−１”〜“２−ｍ２”と対応付けられて抽出結果リストメモリ２３ｂに登録される。
【００６１】
さらに続けて、前記変数ｙの値が順次インクリメントされながら、前記ＵＲＬ登録リストメモリ２３ａに登録されたｎ（＝ｘ）個全てのＵＲＬに従い、前記ステップＡ２〜Ａ６の処理が繰り返されて抽出結果リスト（２３ｂ）が生成された後、ステップＡ７にてインクリメントされた変数ｙの値が変数ｘ（＝ｎ）の値を上回ったと判断されると（ステップＡ８（Ｙｅｓ））、前記一連の表示対象テキスト取得処理が終了され、図９における類似度判定処理（ＳＢ）へ移行される。
【００６２】
図９は、前記重要情報取得表示処理に伴う類似度判定処理（ＳＢ）を示すフローチャートである。
【００６３】
この類似度判定処理に移行されると、先ず、記憶部２３にて管理される変数ｘおよび変数ｙの値が何れも“１”に初期化される（ステップＢ１）。変数ｘは、前記抽出結果リストメモリ２３ｂに登録されたＵＲＬ_ＩＤ毎の各個別タイトル（リンクテキスト）に対応する本文テキストを順番にカウントするための値であり、変数ｙは、前記ＵＲＬ登録リストメモリ２３ａに登録されたＵＲＬ_ＩＤを順番にカウントするための値である。
【００６４】
また、記憶部２３にて管理される変数ｙmaxの値に、前記ＵＲＬ登録リストメモリ２３ａ（図２参照）に登録されたＵＲＬの総数が代入される（ステップＢ２）。
【００６５】
また、記憶部２３にて管理される変数ｘmaxの値に、前記抽出結果リストメモリ２３ｂ（図３参照）に登録されているｙ（＝１）番目のＵＲＬ_ＩＤ“１”に対応するところの本文テキストの総数（ｍ１）が代入される（ステップＢ３）。
【００６６】
さらに、記憶部２３にて管理される変数ｍの値に、前記変数ｙ＋１（＝２）が代入される（ステップＢ４）。
【００６７】
そして、記憶部２３にて管理される変数ｎの値が“１”に初期化されると共に、変数ｎmaxの値に、前記抽出結果リストメモリ２３ｂ（図３参照）に登録されているｍ（＝２）番目のＵＲＬ_ＩＤ“２”に対応するところの本文テキストの総数（ｍ２）が代入される（ステップＢ５）。
【００６８】
すると、前記抽出結果リストメモリ２３ｂに登録されているｙ（＝１）番目のＵＲＬ_ＩＤ“１”に対応するところのｘ（＝１）番目の本文テキストと、ｍ（＝２）番目のＵＲＬ_ＩＤ“２”に対応するところのｎ（＝１）番目の本文テキストとの類似度が求められ（ステップＢ６）、当該類似度が予め設定された規定値（閾値）より高いか否か判断される（ステップＢ７）。
【００６９】
そして、前記２つの本文テキストの類似度が規定値（閾値）以下であると判断されると（ステップＢ７（Ｎｏ））、前記ｍ（＝２）番目のＵＲＬ_ＩＤ“２”に対応した本文テキストを指定するための変数ｎの値がインクリメントされて“２”にセットされる（ステップＢ８）。
【００７０】
すると、前記変数ｎ（＝２）は、前記ｍ（＝２）番目のＵＲＬ_ＩＤ“２”に対応した本文テキストの総数ｎmax（＝ｍ２）を超えたか否か判断され（ステップＢ９）、未だ超えないと判断されると（ステップＢ９（Ｎｏ））、前記抽出結果リストメモリ２３ｂに登録されているｙ（＝１）番目のＵＲＬ_ＩＤ“１”に対応するところのｘ（＝１）番目の本文テキストと、ｍ（＝２）番目のＵＲＬ_ＩＤ“２”に対応するところのｎ（＝２）番目の本文テキストとの類似度が求められ（ステップＢ６）、当該類似度が予め設定された規定値（閾値）より高いか否か判断される（ステップＢ７）。
【００７１】
すなわち、前記ステップＢ５〜Ｂ９の処理が繰り返し実行されることで、前記抽出結果リストメモリ２３ｂに登録されているｙ（＝１）番目のＵＲＬ_ＩＤ“１”に対応するところのｘ（＝１）番目の本文テキストを基準とし、ｍ（＝２）番目のＵＲＬ_ＩＤ“２”に対応するところの各本文テキスト（ｎ（＝１）〜ｎmax（＝ｍ２））を比較対象にその類似度が順次求められ、その都度、求められた類似度が規定値（閾値）より高いか否か判断される。
【００７２】
そして、例えば前記抽出結果リストメモリ２３ｂに登録されているｙ（＝１）番目のＵＲＬ_ＩＤ“１”に対応するところのｘ（＝１）番目の本文テキストと、ｍ（＝２）番目のＵＲＬ_ＩＤ“２”に対応するところのｎ（＝２）番目の本文テキストとの類似度が求められた際に（ステップＢ６）、当該類似度が規定値（閾値）より高いと判定された場合には（ステップＢ７（Ｙｅｓ））、前者ｙ（＝１）番目のＵＲＬ_ＩＤ“１”に対応するところのｘ（＝１）番目の個別タイトルおよび本文テキストに対応付けて要表示マークが付加され、表示対象に設定される（ステップＢ１０）。
【００７３】
またこれに伴い、後者ｍ（＝２）番目のＵＲＬ_ＩＤ“２”に対応するところのｎ（＝２）番目の個別タイトルおよび本文テキストが前記抽出結果リストメモリ２３ｂから削除される（ステップＢ１１）。
【００７４】
すると、前記変数ｍの値がインクリメントされて“３”にセットされ（ステップＢ１２）、当該変数ｍ（＝３）は、前記ＵＲＬ登録リストメモリ２３ａ（図２参照）に登録されたＵＲＬの総数ｙmaxを超えたか否か判断される（ステップＢ１３）。
【００７５】
ここで、前記変数ｍはｙmaxを未だ超えないと判断されると（ステップＢ１３（Ｎｏ））、変数ｎの値が“１”に初期化されると共に、変数ｎmaxの値に、前記抽出結果リストメモリ２３ｂ（図３参照）に登録されているｍ（＝３）番目のＵＲＬ_ＩＤ“３”に対応するところの本文テキストの総数（ｍ３）が代入される（ステップＢ５）。
【００７６】
そして、前記抽出結果リストメモリ２３ｂに登録されているｙ（＝１）番目のＵＲＬ_ＩＤ“１”に対応するところのｘ（＝１）番目の本文テキストと、ｍ（＝３）番目のＵＲＬ_ＩＤ“３”に対応するところのｎ（＝１）番目の本文テキストとの類似度が求められ（ステップＢ６）、当該類似度が予め設定された規定値（閾値）より高いか否か判断される（ステップＢ７）。
【００７７】
つまりこれにより、前記抽出結果リストメモリ２３ｂに登録されているｙ（＝１）番目のＵＲＬ_ＩＤ“１”に対応するところのｘ（＝１）番目の本文テキストを基準とし、ｍ（＝３）番目のＵＲＬ_ＩＤ“３”に対応するところの各本文テキスト（ｎ（＝１）〜ｎmax（＝ｍ３））を比較対象にその類似度が順次求められ、その都度、前記同様に求められた類似度が規定値（閾値）より高いか否か判断される（ステップＢ６〜Ｂ９）。
【００７８】
この後、前記ステップＢ５〜Ｂ１３の処理が繰り返されることで、前記抽出結果リストメモリ２３ｂに登録されているｙ（＝１）番目のＵＲＬ_ＩＤ“１”に対応するところのｘ（＝１）番目の本文テキストを基準とし、ＵＲＬ_ＩＤ“２”〜ＵＲＬ_ＩＤ“ｎ”までの全ての本文テキストを比較対象にした類似度判定処理が繰り返される。
【００７９】
そして、類似度が規定値（閾値）より高いと判定される毎に（ステップＢ７（Ｙｅｓ））、基準側であるｙ番目のＵＲＬ_ＩＤに対応するところのｘ番目の個別タイトルおよび本文テキストに対応付けて要表示マークが付加されると共に（ステップＢ１０）、比較対象側であるｍ番目のＵＲＬ_ＩＤに対応するところのｎ番目の個別タイトルおよび本文テキストが前記抽出結果リストメモリ２３ｂから削除され（ステップＢ１１）、その時点で当該比較対象側のＵＲＬ_ＩＤを指定する変数ｍがインクリメントされる（ステップＢ１２）。
【００８０】
ここで、２つの異なる文字列（本文テキスト）を比較して類似度を求める具体的手法について説明する。
【００８１】
２つの異なる文字列を比較して類似度を求める手法としては、レーベンシュタイン距離（２つの文字列を、文字を追加・削除・入れ替えの操作を最小回数で同一にすることができる数）を求める手法やＴｒｉｇｒａｍ（文字列を１文字ずつずらして３文字の並びにした時、どの程度の割合で一致する３文字があるか）を求める手法等、各種の手法が既に考えられており、本実施形態ではこれらの手法を用いる。
【００８２】
そして、前記手法に従い求められた類似度に基づき前記２つの文字列（本文テキスト）が類似しているか否かを判定するための閾値は、チューニングパラメータであり、重要情報の絞り込みを強めにしたいとかその逆である等、利用者の好みに応じて調整する。
【００８３】
こうして、前記ステップＢ５〜Ｂ１３の繰り返し処理により、前記ｙ（＝１）番目のＵＲＬ_ＩＤ“１”に対応するところのｘ（＝１）番目の本文テキストを基準としたＵＲＬ_ＩＤ“２”〜ＵＲＬ_ＩＤ“ｎ”までの全ての本文テキストを比較対象にした類似度判定処理が実行され、ステップＢ１２においてインクリメントされた変数ｍの値が、ステップＢ１３において前記ＵＲＬ登録リストメモリ２３ａ（図２参照）に登録されたＵＲＬの総数ｙmaxを超えたと判断されると（ステップＢ１３（Ｙｅｓ））、前記変数ｘの値がインクリメントされて“２”にセットされる（ステップＢ１４）。
【００８４】
そして、このインクリメントされた変数ｘの値が前記ｘmaxの値、つまり前記抽出結果リストメモリ２３ｂ（図３参照）に登録されているｙ（＝１）番目のＵＲＬ_ＩＤ“１”に対応するところの本文テキストの総数（ｍ１）を超えたか否か判断される（ステップＢ１５）。
【００８５】
ここで、前記インクリメントされた変数ｘ（＝２）について前記ｘmaxの値を超えないと判断されると（ステップＢ１５（Ｎｏ））、前記ステップＢ４からの処理に戻り、前記変数ｍの値に、再び前記変数ｙ＋１（＝２）が代入される。
【００８６】
そして、前記ステップＢ５〜Ｂ１３の処理が繰り返されることで、前記ｙ（＝１）番目のＵＲＬ_ＩＤ“１”に対応するところのｘ（＝２）番目の本文テキストを基準とし、ＵＲＬ_ＩＤ“２”〜ＵＲＬ_ＩＤ“ｎ”までの全ての本文テキストを比較対象にした類似度判定処理が繰り返される。
【００８７】
さらに、前記ステップＢ４〜Ｂ１５の処理が繰り返されることで、前記ｙ（＝１）番目のＵＲＬ_ＩＤ“１”に対応するところの各本文テキストを順番に指定する変数ｘの値がインクリメントされながら、ＵＲＬ_ＩＤ“２”〜ＵＲＬ_ＩＤ“ｎ”までの全ての本文テキストを比較対象にした類似度判定処理が繰り返される。
【００８８】
そして、前記ステップＢ１４においてインクリメントされた変数ｘの値が前記ｘmaxの値、つまり前記抽出結果リストメモリ２３ｂ（図３参照）に登録されているｙ（＝１）番目のＵＲＬ_ＩＤ“１”に対応するところの本文テキストの総数（ｍ１）を超えたと判断されると（ステップＢ１５（Ｙｅｓ））、前記類似度判定の基準側のＵＲＬ_ＩＤを指定するための変数ｙの値がインクリメントされて“２”にセットされる（ステップＢ１６）。
【００８９】
そして、このインクリメントされた変数ｙの値が前記ｙmaxの値、つまり前記ＵＲＬ登録リストメモリ２３ａ（図２参照）に登録されたＵＲＬの総数を超えたか否か判断される（ステップＢ１７）。
【００９０】
ここで、前記インクリメントされた変数ｙ（＝２）について前記ｙmaxの値を超えないと判断されると（ステップＢ１７（Ｎｏ））、前記変数ｘの値が“１”に初期化される（ステップＢ１８）。
【００９１】
そして、前記ステップＢ３からの処理に戻り、前記変数ｘmaxの値に、前記抽出結果リストメモリ２３ｂ（図３参照）に登録されているｙ（＝２）番目のＵＲＬ_ＩＤ“２”に対応するところの本文テキストの総数（ｍ２）が代入される。
【００９２】
そして、前記変数ｍの値に、前記変数ｙ＋１（＝３）が代入される。
【００９３】
これにより、ステップＢ５〜Ｂ１３の処理が繰り返されることで、前記ｙ（＝２）番目のＵＲＬ_ＩＤ“２”に対応するところのｘ（＝１）番目の本文テキストを基準とし、ＵＲＬ_ＩＤ“３”〜ＵＲＬ_ＩＤ“ｎ”までの全ての本文テキストを比較対象にした類似度判定処理が繰り返される。
【００９４】
さらに、前記ステップＢ４〜Ｂ１５の処理が繰り返されることで、前記ｙ（＝２）番目のＵＲＬ_ＩＤ“２”に対応するところの各本文テキストを順番に指定する変数ｘの値がインクリメントされながら、ＵＲＬ_ＩＤ“３”〜ＵＲＬ_ＩＤ“ｎ”までの全ての本文テキストを比較対象にした類似度判定処理が繰り返される。
【００９５】
さらに、前記ステップＢ３〜Ｂ１８の処理が繰り返されることで、前記類似度判定の基準側のＵＲＬ_ＩＤを順番に指定する変数ｙの値がインクリメントされながら、当該インクリメントされたｙ番目のＵＲＬ_ＩＤに対応するところの各本文テキストの１つずつを基準に、ｍ（＝ｙ＋１）番目からｙmaxまでのＵＲＬ_ＩＤに対応するところの各本文テキストを比較対象にした類似度判定処理が繰り返される。
【００９６】
そしてこの後、前記ステップＢ１６においてインクリメントされた変数ｙの値が前記ｙmaxの値、つまり前記ＵＲＬ登録リストメモリ２３ａ（図２参照）に登録されたＵＲＬの総数を超えたと判断されると（ステップＢ１７（Ｙｅｓ））、前記一連の類似度判定処理が終了され、図１０における表示処理（ＳＣ）へ移行される。
【００９７】
これにより、前記抽出結果リストメモリ２３ｂに登録された各ＵＲＬ_ＩＤの相互間で当該ＵＲＬ_ＩＤが小さい方の本文テキストを基準に他のＵＲＬ_ＩＤに対応付けられた本文テキストとの類似度が総当たりに順番に判定される。そして、この類似度判定に際して、類似度が規定値（閾値）より高いと判定された本文テキストについては、ＵＲＬ_ＩＤが小さい方の本文テキストに対応付けて要表示マークが付加されると共に、もう一方の本文テキストが削除される。
【００９８】
なお、前記抽出結果リストメモリ２３ｂより削除されてNULLとなった本文テキストは、いかなるテキストと比較しても（NULLテキスト同士の比較も含め）類似度は０％になる。
【００９９】
このため、前記抽出結果リストメモリ２３ｂに登録された各ＵＲＬ_ＩＤの相互間で当該ＵＲＬ_ＩＤが小さい方の本文テキストを基準に他のＵＲＬ_ＩＤに対応付けられた本文テキストとの類似度を総当たりに順番に判定するとしても、この処理が進むほど、類似度が規定値より高いと判定されてその一方が削除される本文テキストが増えるので、当該処理に伴う負荷は次第に軽くなる。
【０１００】
図１０は、前記重要情報取得表示処理に伴う表示処理（ＳＣ）を示すフローチャートである。
【０１０１】
図１１は、前記重要情報取得表示処理の表示処理（ＳＣ）に伴う重要情報の表示動作例を示す図である。
【０１０２】
この表示処理に移行されると、先ず、前記抽出結果リストメモリ２３ｂに記憶されている抽出結果リストにおいて、要表示マークが付加されている表示対象の項目があるか否か判断される（ステップＣ１）。
【０１０３】
ここで、前記抽出結果リスト（２３ｂ）において要表示マークの付加された表示対象の項目があると判断されると（ステップＣ１（Ｙｅｓ））、フレームバッファＦＢに現在描画されている表示画面データがクリアされる（ステップＣ２）。
【０１０４】
そして、前記抽出結果リスト（２３ｂ）において要表示マークが付加された項目に記憶されている個別タイトル（リンクテキスト）が読み出され（ステップＣ３）、前記フレームバッファＦＢに表示画面データとして描画される（ステップＣ４）。
【０１０５】
これにより、例えば図１１（Ａ）に示すように、情報端末装置（携帯電話）２０の表示部２７には、前記抽出結果リスト（２３ｂ）において要表示マークが付加された項目の個別タイトル（リンクテキスト）を一覧にした重要情報一覧ウインドウＷが表示される。
【０１０６】
そして、この重要情報一覧ウインドウＷにおいて、例えば図１１（Ｂ）に示すように、ユーザ操作に応じてユーザ所望の個別タイトル「首相、内閣支持率に注文」にフォーカスｆを合わせると、当該フォーカスｆを合わせた個別タイトルに対応付けられて前記抽出結果リスト（２３ｂ）に記憶されている本文テキスト「◇◇政権発足を受け、○○新聞社が行った…」が読み出され、ポップアップウインドウＷｐとして表示されるようになる。
【０１０７】
なお、前記図７における表示対象テキスト取得処理（ステップＳＡ）、前記図９における類似度判定処理（ステップＳＢ）、前記図１０における表示処理（ステップＳＣ）は、予め設定された一定時間Ｔ１毎に繰り返し実行され（ステップＳＤ，ＳＥ→ＳＡ）、常に最新の情報に更新される。
【０１０８】
したがって、前記構成のサーバ・クライアント・システムの情報端末装置２０による重要情報取得表示機能によれば、ＵＲＬ登録リストメモリ２３ａに予め登録したユーザ所望の各情報サイトのＵＲＬにアクセスされ、当該各ＵＲＬに対応するＷｅｂページに記述されている個別タイトル（リンクテキスト）が抽出される。またこれに伴い各個別タイトル（リンクテキスト）のリンク先ＵＲＬにアクセスされ、当該各リンク先ＵＲＬに対応するＷｅｂページに記述された本文テキストが抽出される。そして、前記各登録ＵＲＬのＩＤに対応付けて前記抽出された個別タイトル（リンクテキスト）、リンク先ＵＲＬ、本文テキストが抽出結果リストメモリ２３ｂに記憶される。すると、前記抽出結果リスト（２３ｂ）に記憶された各ＵＲＬ_ＩＤの相互間で本文テキストの類似度が求められ、当該類似度の高い本文テキストに対応する個別タイトルだけ、重要情報一覧ウインドウＷにして表示部２７に表示される。そしてウインドウ表示された所望の個別タイトルにフォーカスｆを合わせると、当該所望の個別タイトルに対応する本文テキストが読み出されてポップアップウインドウＷｐにして表示される。
【０１０９】
このため、ユーザが予め登録した複数の情報サイトにおいて同時期に掲載されるような、ユーザにとって重要である確率の高い情報のみを抽出して表示させることができる。
【０１１０】
また、前記構成のサーバ・クライアント・システムの情報端末装置２０による重要情報取得表示機能によれば、前記抽出結果リストメモリ２３ｂにおいて、類似度が高いと判定された一方の本文テキストが要表示マークを付加した表示対象に設定され、もう一方の本文テキストは削除される。このため、類似度の高い本文テキストが重複して表示対象に設定されることがない。
【０１１１】
さらに、前記構成のサーバ・クライアント・システムの情報端末装置２０による重要情報取得表示機能によれば、前記登録ＵＲＬに対応するＷｅｂページからの個別タイトル（リンクテキスト）の抽出処理、抽出された個別タイトルのリンク先ＵＲＬに対応するＷｅｂページからの本文テキストの抽出処理、各登録ＵＲＬ相互間での個別タイトルに対応するリンク先本文テキストの類似度判定処理、類似度が高いと判定された本文テキストとその個別タイトルを表示対象に設定する処理は、一定時間Ｔ１毎に繰り返し実行される。このため、ユーザにとって重要である確率の高い情報のみを、常に最新の状態で抽出して表示させることができる。
【０１１２】
なお、前記実施形態において記載した情報表示装置（情報端末装置２０）による各処理の手法、すなわち、図６のフローチャートに示す重要情報取得表示処理、図７のフローチャートに示す同重要情報取得表示処理に伴う表示対象テキスト取得処理（ＳＡ）、図９のフローチャートに示す同重要情報取得表示処理に伴う類似度判定処理（ＳＢ）、図１０のフローチャートに示す同重要情報取得表示処理に伴う表示処理（ＳＣ）などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体（記録媒体）２４に格納して配布することができる。そして、情報端末装置２０のコンピュータ（ＣＰＵ２１）は、この外部記憶媒体（記録媒体）２４に記憶されたプログラムを記憶装置（２３）に読み込み、この読み込んだプログラムによって動作が制御されることにより、前記実施形態において説明した重要情報取得表示機能を実現し、前述した手法による同様の処理を実行することができる。
【０１１３】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記のプログラムデータを取り込んで記憶装置（２３）に記憶させ、前述した重要情報取得表示機能を実現することもできる。
【０１１４】
なお、本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１１５】
１０Ａ，１０Ｂ，…サーバ装置
２０  …情報端末装置
２１  …ＣＰＵ
２２  …バス
２３  …記憶部
２３ａ…ＵＲＬ登録リストメモリ
２３ｂ…抽出結果リストメモリ
ＦＢ  …フレームバッファ
２４  …外部記憶媒体
２５  …記憶媒体読み書き部
２６  …入力部
２７  …表示部
２８  …送受信部
Ｎ    …通信ネットワーク
Ｐ    …Ｗｅｂページ
Ｐhtm…ＷｅｂページのＨＴＭＬソース
ＬＰ  …リンク先Ｗｅｂページ
Ｌtxt…リンクテキスト
Ｍtxt…見出しテキスト
Ｈtxt…本文テキスト
Ｗ    …重要情報一覧ウインドウ
ｆ    …フォーカス
Ｗｐ  …ポップアップウインドウ
【図１】
2011150591.tif 000003
【図２】
2011150591.tif 000004
【図３】
2011150591.tif 000005
【図４】
2011150591.tif 000006
【図５】
2011150591.tif 000007
【図６】
2011150591.tif 000008
【図７】
2011150591.tif 000009
【図８】
2011150591.tif 000010
【図９】
2011150591.tif 000011
【図１０】
2011150591.tif 000012
【図１１】
2011150591.tif 000013